(57)【要約】【課題】美容器のハンドルに対して加飾機能などの機能を付与できるようにすること。【解決手段】ハンドル１１の端部に一対の球状をなす施術体１３を支持する。ハンドル１１のハンドル本体２０の外側面には凹部３６を形成し、その凹部３６内には第１カバー１７及び第２カバー１８を嵌合した。第１カバー１７及び第２カバー１８は、ハンドル本体２０とは、色や光沢度合いが異なる。【選択図】図１
2020000463.tif 000002
【特許請求の範囲】
【請求項１】
ハンドルと、そのハンドルの先端に設けられた施術体とを備えた美容器において、
前記ハンドルの表側と裏側とに凹部を形成し、その凹部内に機能部材を嵌合した美容器。
【請求項２】
前記凹部の輪郭は閉じられたループ状をなしている請求項１に記載の美容器。
【請求項３】
前記機能部材を前記ハンドルの内側からネジによって固定した請求項１または２に記載の美容器。
【発明の詳細な説明】
【技術分野】
【０００１】
本発明は、施術体により、使用者に対して美容的作用を付与するようにした美容器に関するものである。
【背景技術】
【０００２】
従来、この種の美容器としては、例えば特許文献１に開示されるような構成のものが提案されている。この構成の美容器においては、ハンドルの先端にマッサージ用の回転体が支持されている。そして、各回転体を身体表面に押し付けて転がすことにより、身体に対して美肌効果等の美容的作用が付与されるとしている。
【先行技術文献】
【特許文献】
【０００３】
【特許文献１】特開２００９−１４２５０９号公報
【発明の概要】
【発明が解決しようとする課題】
【０００４】
前記特許文献１においては、ハンドルのデザインや機能が単調になることは避けられない。
本発明の目的は、ハンドルに対して従来は存在しなかった機能を付与できる美容器を提供することにある。
【課題を解決するための手段】
【０００５】
上記の目的を達成するために、本発明は、ハンドルと、そのハンドルの先端に設けられた施術体とを備えた美容器において、前記ハンドルの表側と裏側とに凹部を形成し、その凹部内に機能部材を嵌合したことを特徴とする。ここで、機能部材とは、加飾機能や操作性向上機能などのハンドル機能以外の機能を有するものを指す。
【０００６】
本発明においては、ハンドルの外側に機能部材が設けられているため、美容器の外観などを向上できる。
【発明の効果】
【０００７】
以上のように、本発明によれば、ハンドルに対して加飾機能などを付与できて、美容器の機能を向上できるという効果を発揮する。
【図面の簡単な説明】
【０００８】
【図１】実施形態の美容器の斜視図。
【図２】実施形態の美容器の平面図。
【図３】実施形態の美容器の一部破断底面図。
【図４】実施形態の美容器の側面図。
【図５】実施形態の美容器の分解斜視図。
【図６】第２外部フレーム及び第２カバーの部分の分解斜視図。
【図７】回転体の部分の分解斜視図。
【図８】ベースフレームの内部構成を示す平面図。
【図９】図２のＸ−Ｘ線断面図。
【図１０】図９において補強部材を除去して示す断面図。
【図１１】図２のＺ−Ｚ線断面図。
【図１２】図２のＹ−Ｙ線断面図。
【図１３】回転体の断面図。
【図１４】回転体のパーティングラインを示す図。
【図１５】実施形態の美容器の電気回路図。
【図１６】変更例の美容器の電気回路図。
【図１７】変更例の電気関連構成を示す斜視図。
【発明を実施するための形態】
【０００９】
以下に、本発明を具体化した美容器の実施形態を図面に従って説明する。
図１〜図３に示すように、本実施形態の美容器は、先端（以下、この先端側を前部とする）に二叉部１０が形成されたハンドル１１を備えている。二叉部１０には外周面に複数の突起１２を有する施術体としての一対のマッサージ用の回転体１３が並設され、それらの回転体１３は一軸線を中心に回転可能になっている。そして、美容器の使用者がハンドル１１を把持して、身体の皮膚，その下部組織や筋肉（以下、これらの部分を総称して身体表面部という）に対して回転体１３を適当な力で押し付けながらその回転体１３を転がすことにより、身体の各部をマッサージできる。
【００１０】
そこで、以下に、本実施形態の美容器の各部の構成を詳細に説明する。
図１及び図５に示すように、ハンドル１１は、ベースフレーム１４と、そのベースフレーム１４の外側に位置する第１外部フレーム（以下、第１フレームという）１５及び第２外部フレーム（以下、第２フレームという）１６とを備えている。このベースフレーム１４，第１フレーム１５及び第２フレーム１６により、ハンドル本体２０が構成されている。図１，図５及び図６に示すように、第１，第２フレーム１５，１６の外側には機能部材としての第１カバー１７及び第２カバー１８が取り付けられている。ベースフレーム１４の前端側の外側面には補強部材１９が設けられている（図３，図９参照）。前記ベースフレーム１４、第１，第２フレーム１５，１６及び第１，第２カバー１７，１８は電気絶縁材である合成樹脂によって構成され、補強部材１９は金属板材によって構成されている。第１，第２フレーム１５，１６の表面全体には金属メッキが施されている。
【００１１】
図５，図８及び図９に示すように、前記ベースフレーム１４は、一側面を開放した有底形状の断面ほぼ舟形形状をなし、開放部の周縁の溝２１にシールリング２２が嵌め込まれている。前記第１フレーム１５はベースフレーム１４の底部側に被せられており、ベースフレーム１４の後端の突起２３が第１フレーム１５の凹部２４に嵌合されている。前記第２フレーム１６はベースフレーム１４の開放部側に被せられ、その外周縁の段差２５に第１フレーム１５の突条２６が嵌合されている。その突条２６の内側に着座面が形成され、この着座面に前記シールリング２２が着座されて、第２フレーム１６とベースフレーム１４との間の水密性が確保されている。そして、ベースフレーム１４の孔を通り、第２フレーム１６にねじ込まれたタップネジ２８により、第２フレーム１６がベースフレーム１４に固定されている。
【００１２】
図５及び図１２に示すように、ベースフレーム１４の前端には円筒部２９が形成されるとともに、第１，第２フレーム１５，１６には円筒部２９の外周に被せられた半円筒部３０，３１が形成されている。そして、半円筒部３０，３１上に保持リング３２が外嵌されて、この部分においてベースフレーム１４と第１，第２フレーム１５，１６とが一体化されている。
【００１３】
図３，図９及び図１０に示すように、前記補強部材１９は、ベースフレーム１４の前端部の凹部３３内に位置するとともに、凹部５２に嵌合する位置決め突起３４によって位置決めされている。また、補強部材１９は、ベースフレーム１４にねじ込まれたタップネジ３５によって位置決め状態において固定されている。そして、補強部材１９は、前記支持軸３８間の回転体１３側の位置から回転体１３の反対側であるハンドル１１の基端部に向かって、ハンドル１１の長さ方向の中間部まで延長されている。この補強部材１９は、ハンドル１１に作用するハンドル１１の曲げ方向のモーメントに抗する補強作用を備えている。
【００１４】
図１及び図９に示すように、前記第１カバー１７及び第２カバー１８は、それぞれ第１フレーム１５及び第２フレーム１６の外側面の後端寄りに形成された凹部３６内に嵌合されている。この凹部３６は、その輪郭である外周縁が閉じられたループ状をなしていて、その外周縁は、第１フレーム１５及び第２フレーム１６の外周縁につながることなく、両フレーム１５，１６の外周縁から離間している。そして、第１カバー１７及び第２カバー１８は、第１，第２フレーム１５，１６の孔を通って第１，第２カバー１７，１８の凸部にねじ込まれたタップネジ３７によって固定されている。第１，第２カバー１７，１８は、第１，第２フレーム１５，１６の外表面と連続する曲面よりなる外表面を形成するとともに、第１，第２フレーム１５，１６と異なる色，例えば木目調に形成され、ハンドル１１の加飾機能を有している。この木目調は、例えば、第１，第２カバー１７，１８を構成する合成樹脂中に木粉を混入したり、第１，第２カバー１７，１８を構成する合成樹脂の表面に木製シートを貼着したりして構成される。従って、第１，第２カバー１７，１８は、第１，第２フレーム１５，１６と材質が異なり、第１，第２フレーム１５，１６と比較して色，明度，光沢度，表面粗度が異なるとともに、比熱，硬度や摩擦係数が異なる。従って、第１，第２カバー１７，１８は、第１，第２フレーム１５，１６と外観が異なるとともに、使用者の掌に対する感触が異なる。
【００１５】
図５，図７及び図１２に示すように、ベースフレーム１４の前記円筒部２９内には金属製の支持軸３８が挿入されている。この支持軸３８の一端面に開口するネジ孔３９には、バネ座金付きネジ４０がベースフレーム１４の内側から螺入されて支持軸３８が前方の外側へ抜けることが防止されている。また、支持軸３８のＤカット状の平面部４１が円筒部２９内の平面部（図示しない）と係合して支持軸３８の回転が阻止されている。支持軸３８の長さ方向の中間部には、その支持軸３８のベースフレーム１４側への移動を阻止するために円筒部２９の先端面と係合するフランジ４３が形成されている。支持軸３８の小径部には、支持軸３８の外周面と円筒部２９の内周面との間の水密性を保持するためのゴム製のシールリング４４が外嵌されている。
【００１６】
図７及び図１２に示すように、支持軸３８のフランジ４３の前端側にはフランジ４５を有する合成樹脂製の軸受部材４６が回転可能に外嵌されており、フランジ４５と軸受部材４６の開口の段差５３との間には軸受部材４６の円滑な回転を担保するための摩擦係数の低い材料よりなる滑動リング４７が介在されている。支持軸３８の先端の環状溝には軸受部材４６の抜け止めのための止めリング４８が取り付けられている。軸受部材４６の周壁には案内斜面４９と抜け止め面５０とを備えた係合爪５１が撓み変形可能に一体形成されている。軸受部材４６は、カーボン粉体を混入させた合成樹脂によって構成されて、導電性を有している。
【００１７】
図７及び図１２に示すように、押圧体を構成する前記回転体１３は、開口５５を有する中空ボール形状をなし、その内部にはふたつのコア片５６，５７を結合させたコア５８が収容固定されている。一方のコア片５６の内周には環状突起５９が形成されている。そして、回転体１３を軸受部材４６上に被冠させることにより、前記案内斜面４９の作用によって係合爪５１が撓み退避した後に、環状突起５９が抜け止め面５０が係合される。これによって、回転体１３が軸受部材４６に抜け止め状態で保持リング３２の周りにおいて支持軸３８に回転可能に支持される。回転体１３及びコア片５６，５７の外周面及び内周面には金属メッキが施されている。
【００１８】
図１３及び図１４に示すように、回転体１３は、ほぼ球形のベース部６１の外周に均等間隔をおいて複数（本実施形態では２５）の前記突起１２が一体形成されている。これらの突起１２は全体として円錐状に形成されるとともに、先端が凸曲面である球面形状に形成されている。そして、突起１２は回転体１３のほぼ中心を中心としてほぼ放射方向を指向するとともに、先端が仮想球面α上に位置している。この仮想球面αは、回転体１３の最大径の位置において支持軸３８と直交する面内に位置する円を球面の一部とし、その円と仮想球面αとは同径である。そして、仮想球面αの直径は、１５〜６０ミリメートルの範囲が体感上好ましく、３２〜５５ミリメートルの範囲がさらに好ましく、３８〜４５ミリメートルの範囲が最も好ましい。
【００１９】
回転体１３のベース部６１の基端部の外径βは前記ハンドル１１の回転体１３側の端部６２の外径と等しく形成され、ベース部６１及び端部６２の外周面がほぼ同一曲面上に位置している。
【００２０】
ここで、前記突起１２の数は、１６〜３１の範囲が体感上及び美容的効果をもたらす血行促進の面において好ましく、２０〜３０の範囲がさらに好ましく、２３〜２８の範囲が最も好ましい。また、左右の突起１２間の図２に示す最短距離δは７．５〜１０ミリメートルが体感上及び美容的効果をもたらす血行促進の面において好ましい。さらに、突起１２の先端の曲率半径は、２〜６ミリメートルが体感上及び美容的効果をもたらす血行促進の面において好ましく、２〜４ミリメートルがさらに好ましい。突起１２の先端の曲率は、突起１２の先端が半球状ではない他の曲面状の場合も含めて、体感上及び美容的効果をもたらす血行促進の面において１／２（２分の１）〜１／６が好ましく、１／２〜１／４がさらに好ましい。なお、実施形態において、突起１２の先端の曲率半径は３ミリメートル，すなわち曲率１／３である。
【００２１】
図５，図８及び図９に示すように、前記ベースフレーム１４の内部のほぼ中央部には保持台７１が形成され、その上面には付加作用部品としての光発電用の発電パネル７２が枠７３によって位置決めされた状態で保持されている。発電パネル７２のハンドル後端部側には、付加作用部品としての金属製のバランスウェイト７４がベースフレーム１４と一体のピン７５及びベースフレーム１４にねじ込まれるタップネジ７６によって固定されている。このバランスウェイト７４は、本実施形態の美容器の使用に際して、美容器全体の重量バランスを適正に維持するためのものである。
【００２２】
そして、図５及び図１５に示すように、発電パネル７２のプラスまたはマイナスの一方の出力端子が給電線８４及び端子となるワッシャ８５を介して前記タップネジ７６及びバランスウェイト７４に電気接続されている。バランスウェイト７４の下面には電極７７が圧接され、この電極７７はタップネジ２８などの給電路を介して第１フレーム１５の内面側のメッキに電気接続され、ひいてはハンドル本体２０の外表面のメッキに電気接続されている。発電パネル７２の他方の出力端子は給電線８６及び端子となるワッシャ８７を介して前記バネ座金付きネジ４０に電気接続されている。そして、バネ座金付きネジ４０は支持軸３８，軸受部材４６及びコア片５６，５７の金属メッキを介して回転体１３の外周面の金属メッキに電気接続されている。従って、発電パネル７２によって発電された電力は、ハンドル１１の外表面のメッキ及び回転体１３の外表面のメッキに供給される。前記電極７７及びバネ座金付きネジ４０間は絶縁材よりなるベースフレーム１４により電気絶縁されている。図１２に示すように、前記ハンドル本体２０と回転体１３との間には、隙間６４が形成され、この隙間６４により、ハンドル本体２０と回転体１３との間の電気絶縁が確保されている。従って、図１５に示すように、両回転体１３の外表面のメッキ及びハンドル本体２０の外表面の金属メッキが発電パネル７２の出力端子に接続された外部端子を構成する。
【００２３】
図１，図５及び図９に示すように、前記第２フレーム１６及び第２カバー１８には、前記発電パネル７２と対応するように透孔７８，７９が形成されている。そして、レンズユニット８０のレンズ８１がこの透孔７８，７９内に嵌合されて、ハンドル１１の外部の光を発電パネル７２の発電表面に導くようになっている。レンズユニット８０はその外周部においてタップネジ８２によって第２フレーム１６の内面に固定されている。レンズユニット８０の外周部と第２フレーム１６の透孔７８の内縁部との間にはシールリング８３が介在され、透孔７８，７９におけるレンズユニット８０と第２フレーム１６との間の水密性が保持されている。
【００２４】
図２に示すように、回転体１３を並設状態で支持するための一対の支持軸３８は末広がり状に傾斜配置され、その開き角度θ１は、本実施形態においてはほぼ７０度である。この開き角度θ１は、５０〜１１０度の範囲内が体感上及び美容的効果をもたらす血行促進の面において好ましく、５０〜９０度の範囲内がさらに好ましく、６５〜８０度の範囲内が最も好ましい。図４に示すように、美容器の側面視において、前記支持軸３８は、ハンドル１１に対して傾斜（前傾）している。
【００２５】
前記回転体１３は、その成形後の型割り（型離れ）時に、突起１２の部分においてアンダーカットが形成されることなく、型離れが円滑に行われるように、突起１２の形状が設定されている。すなわち、突起１２は、成形型の複数の分割型（図示しない）間のパーティングラインεに面する側の周面が、突起１２の先端側ほどパーティングラインεから離間する形状になっている。なお、回転体１３は成形後にバフによって研磨されるため、パーティングラインεは、消えるか、目立たなくされる。
【００２６】
次に、以上のように構成された本実施形態の美容器の作用を説明する。
この美容器を使用する場合は、使用者はハンドル１１を把持して、回転体１３を顔等の身体表面部にあてて、その回転体１３を適当な力を加えながら身体表面部上を転がせばよい。このようにすれば、回転する回転体１３の突起１２によって身体表面部である皮膚，その下部組織及び筋肉などがマッサージされて、その身体表面部の血行が良くなったり、毛穴が開いたりして、美容的効果を得ることができる。また、このとき、発電パネル７２で発電された電力がハンドル本体２０及び回転体１３の金属メッキよりなる表面，すなわち発電パネル７２の外部端子に供給される。このため、手によって把持されるハンドル１１と、身体表面部に押し当てられた回転体１３との間に回転体１３によりマッサージされる身体表面部を含む身体を介在させた電路が形成され、身体表面部を含む身体に微弱電流が流れて、美容的効果が高められる。
【００２７】
本実施形態においては、回転体１３がボール形状のシルエットを有するとともに、回転体１３の支持軸３８が前傾角度を有している。このため、回転体１３を身体表面部上で移動させると、両回転体１３の回転によって、図１１に示すように、身体表面部１００が押圧されながらつまみ上げられる。このため、高い美容的効果を得ることができる。
【００２８】
従って、本実施形態においては、前記のように身体表面部１００がつまみ上げられることと、突起１２によって断続的に強く押圧されることとの相乗効果により、さらに高い美容的効果を得ることができる。
【００２９】
そして、この美容器においては、シールリング２２，４４，８３がハンドル１１のベースフレーム１４内への水の侵入を防止するため、この美容器を浴室内において、たとえ浴槽内であっても支障なく使用できる。
【００３０】
本実施形態によれば、以下の効果がある。
（１）美容器の使用者の身体表面部が回転体１３によって押圧されると同時につまみ上げられるため、高い美容的効果を得ることができる。
【００３１】
（２）この場合、回転体１３の回転により、身体表面部が突起１２によって断続的に強く押圧されて、さらに高い美容的効果を得ることができる。しかも、突起１２は先端がボール状をなしているため、身体表面部に対して適度な刺激はあるものの、痛みは抑えられる。
【００３２】
（３）前記ハンドル１１のベースフレーム１４の外周縁と第２フレーム１６の開口内周縁との間、ベースフレーム１４の円筒部２９と支持軸３８との間及びレンズユニット８０と透孔７８の内縁部との間にそれぞれシールリング２２，４４，８３が介装されている。このため、ベースフレーム１４内に水が侵入するおそれを防止することができて、ベースフレーム１４に発電パネル７２等の電装品を収容した構成であっても、水によってそれらの作用が阻害されることを防止することができる。
【００３３】
（４）ベースフレーム１４が舟形形状をなして、そのベースフレーム１４の壁部が湾曲しているため、ベースフレーム１４そのものの強度を向上させることができ、ひいては、ハンドル１１の強度を向上させることができる。
【００３４】
（５）前記のように、ベースフレーム１４が舟形形状をなしているため、その内部空間を利用して、発電パネル７２やバランスウェイト７４などの付加作用部品を整列状態で納まりよく配置でき、その付加作用部品の組付けが容易になる。
【００３５】
（６）ベースフレーム１４の先端部に、ハンドル１１の曲げ方向のモーメントに抗する補強部材１９が設けられているため、回転体１３を身体表面部に強く押し当てても、ハンドル１１の変形が抑えられる。このため、ハンドル１１が破損したり、ハンドル本体２０の第１，第２フレーム１５，１６間が開いたりすることを抑えることができる。従って、回転体１３を身体表面部に強く押し当てることができるため、高いマッサージ効果を得ることができる。
【００３６】
（７）補強部材１９の前端部が支持軸３８の基端部の部分に位置しているため、支持軸３８の基端部に作用する同軸３８の軸方向と交差する方向の力、すなわち、支持軸３８を引き起こしてベースフレーム１４の円筒部２９の部分を破損させる方向の力に抗することができ、円筒部２９などの破損を有効に回避できる。
【００３７】
（８）前記補強部材１９を第１，第２フレーム１５，１６で覆われるベースフレーム１４に設けたことにより、補強部材１９を隠蔽することができて、ハンドル１１の外観を良好に維持できる。
【００３８】
（９）ベースフレーム１４の内部に発電パネル７２などの付加作用部品を設けるとともに、ベースフレーム１４の外側に補強部材１９を設けたことにより、補強部材１９によってベースフレーム１４の内部容積が狭くなることを回避できる。よって、ベースフレーム１４内のスペースを有効に利用できて、付加作用部品の組み付けが容易になる。
【００３９】
（１０）補強部材１９をベースフレーム１４の外側面の凹部３３に嵌合したことにより、補強部材１９の移動を規制して、補強部材１９を定位置に保持できる。従って、補強部材１９の組付けが容易になるとともに、組付け状態の補強部材１９の移動を阻止できて、補強作用を発揮できる。また、補強部材１９のベースフレーム１４の外表面からの突出を抑えることができて、ハンドル１１の小形化及びデザインの融通性に寄与できる。
【００４０】
（１１）ハンドル１１が側面視において前傾形状に形成されているため、ハンドル１１を身体表面部に沿わせた使いやすい姿勢で使用することができ、有効なマッサージ作用を得ることができる。
【００４１】
（１２）ハンドル１１に加飾機能を有する機能部材としての第１，第２カバー１７，１８が設けられているため、加飾効果などの各種の効果を得ることができる。すなわち、第１，第２カバー１７，１８がハンドル本体２０と色，光沢度，面粗度，模様などの外観が異なっていれば、第１，第２カバー１７，１８によってハンドル１１、ひいては美容器全体のデザイン性を向上できる。しかも、第１，第２カバー１７，１８が嵌合された凹部３６は、その輪郭が閉じられたループ状をなして、第１，第２フレーム１５，１６の外周縁から離間しているため、第１，第２カバー１７，１８は凹部３６内において動いたり、凹部３６から脱落したりすることはほとんどない。このため、高いデザイン性を長期間にわたって維持できる。
【００４２】
また、第１，第２カバー１７，１８が木製のものであったり、木粉を混入したものであったりすれば、第１，第２カバー１７，１８の比熱が高くなり、ハンドル１１を把持したときに、掌に暖かみを感じることができる。従って、マッサージ操作にともなう快適性を向上できる。さらに、第１，第２カバー１７，１８が前記のように木製や、木粉を混入したものであれば、第１，第２カバー１７，１８はハンドル本体２０より摩擦係数が高くなって滑りにくく、マッサージにおいて操作しやすいものとなる。以上のように、ハンドル１１の外側面の表裏に第１，第２カバー１７，１８を設けることにより、ハンドルを把持した状態における感触がよくなり、美容器の使用時における使いやすさや快適性、あるいは操作性が向上する。
【００４３】
第１，第２カバー１７，１８がゴム材や軟質ウレタン材などのハンドル本体２０より柔らかいものであれば、ハンドル１１が手に馴染みやすく、前記と同様にマッサージにおいて操作しやすいものとなる。
【００４４】
第１，第２カバー１７，１８が金属のように高剛性のものであれば、ハンドル本体２０の強度を向上できる。そして、このように、第１，第２カバー１７，１８として高剛性のものを用いれば、第１，第２カバー１７，１８と補強部材１９との相乗効果により、ハンドル１１全体をより高強度にすることができる。
【００４５】
（１３）第１，第２カバー１７，１８は、それぞれ第１，第２フレーム１５，１６の内側からネジ３７，８２によって固定されているため、ネジ３７，８２の脱着によって既存の第１，第２カバー１７，１８を別の第１，第２カバー１７，１８に交換することができる。従って、加飾効果や把持状態の感触を変更したい場合に容易に対応することができる。
【００４６】
（１４）第１，第２カバー１７，１８として、例えば、表面粗さが低いもの、言い換えれば表面の平滑度が高いものを選択すれば、そのカバー１７，１８に汚れが付着しにくくなる。また、同カバー１７，１８として、フッ素樹脂系のものを用いれば、同様に汚れが付着しにくく、指紋などの手の脂も付着しにくくなる。つまり、第１，第２カバー１７，１８として、適切な素材を選択すれば、同カバー１７，１８の高い加飾効果を効果的に維持できる。
【００４７】
（１５）図１３及び図１４に示すように、回転体１３の突起１２の部分においてアンダーカットが形成されないようにしている。従って、これらの突起１２を含む回転体１３の外周面を無理なく精密に整形できる。
【００４８】
（変更例）
本発明は、前記実施形態に限定されるものではなく、次のように変更して具体化することも可能である。
【００４９】
・回転体１３として、突起１２を有しないボール形状のものや、円筒形状のものに変更すること。
・回転体１３の突起１２の数を変更したり、形状を半球状にしたりすること。
【００５０】
・補強部材１９を第１フレーム１５及び第２フレーム１６の少なくとも一方の内側面または外側面に設けること。補強部材１９を第１フレーム１５または第２フレーム１６の外側面に設けた場合は、補強部材１９が加飾などの機能部材を兼ねるようにしてもよい。
【００５１】
・ハンドル本体２０や、第１，第２カバー１７，１８に対し、滑り止めのために、手指の曲面に沿う形状の凹凸を設けたり、ローレットを刻設したりすること。
・第１，第２カバー１７，１８として、合成樹脂製のカバー基材の表面に対して加飾のために、塗装を施したり、金属や酸化物による蒸着薄膜を形成したり、メッキを施したり、フィルムをＴＯＭ（Three dimension Overlay Method）成形などによって貼着したり、織布や皮革を貼着したりすること。
【００５２】
・第１，第２カバー１７，１８として、合成樹脂以外の材料，例えば、金属，木，セラミックなどを用いること。この第１，第２カバー１７，１８として、木，金属，セラミックなどの材料を用いる場合は、その材料を切抜き成形や削出し成形することが考えられる。また、第１，第２カバー１７，１８がアルミニウム，アルミニウム合金，マグネシウム合金などの場合は、ダイキャスト成形することが考えられる。
【００５３】
・第１カバー１７と第２カバー１８とを異なる材質のものとすること。例えば、第１カバー１７及び第２カバー１８の一方を合成樹脂製とし、他方を木製とすること。
・第１，第２カバー１７，１８を合成樹脂あるいは金属を用いた三次元プリント成形によって構成すること。
【００５４】
・第１，第２カバー１７，１８の表面に、木目以外に、しぼ加工による凹凸模様、ネットの貼着による網目模様、エッチングによる凹凸模様などを施すこと。
・第１カバー１７と第２カバー１８との模様を異ならせること。
【００５５】
・第１，第２カバー１７，１８の表面に対して、汚れや手の脂の付着を抑制するためのコーティングを施したり、フィルムを貼着したりすること。
・第１，第２カバー１７，１８の少なくとも一部の外周縁が接触して突き合わせ状態となるように、両凹部３６の周縁の一部に連通部（つながる部分）を設けること。
【００５６】
・凹部３６の大きさや形状を任意に変更することにより、第１，第２カバー１７，１８の大きさや形状を任意に変更すること。例えば、凹部３６の大きさや形状を前記実施形態の図面に描かれた凹部３６の大きさや形状と異ならせたり、第１フレーム１５の凹部３６の大きさや形状と、第２フレーム１６の凹部３６の大きさや形状とを互いに異ならせたりすること。
【００５７】
・凹部３６を３箇所以上に設けて、３枚以上の加飾用のカバーによって加飾を施すこと。この場合、第１フレーム１５及び第２フレーム１６の凹部３６の数は異なっていてもよい。また、この場合、前記のように、隣接する凹部３６の周縁の一部に連通部（つながる部分）を設けて、隣接する加飾用のカバーを突き合わせるようにしてもよい。
【００５８】
１箇所の凹部３６内に複数枚の加飾用のカバーを突き合わせ状態で配置すること。
・加飾用のカバーに切り込みや凹部を設け、あるいは同カバーに透孔を設け、その切り込み，凹部，透孔などに別の加飾用のカバーを嵌め込んで、寄木細工状の加飾構成とすること。
【００５９】
・凹部３６の底部に加飾シートを設け、その加飾シートを無色あるいは着色の透明または半透明のプレートで被覆すること。
・第１，第２カバー１７，１８の少なくとも一方に電子式体温計の温度検出用のサーミスタを設けること。すなわち、前記サーミスタを第１カバー１７または第２カバー１８の裏面に設けるとともに、電子式体温計の制御部及び電源をハンドル本体２０内に設け、検出された体温を表示するための表示部をハンドル本体２０の外側面の窓口に設ける。また、前記制御部に通信機能を付加して、体温を多機能携帯端末（スマートフォン）において表示できるようにしてもよい。
【００６０】
・第１，第２カバー１７，１８の少なくとも一方の裏面側にロードセルなどの感圧素子を設けるとともに、ハンドル本体２０の内部には、前記感圧素子によって検出された信号に基づいて握力データを生成する制御部を設けること。そして、ハンドル本体２０の外側面の窓口に設けられた表示部において握力を表示すること。従って、実施形態の美容器が握力計になる。この構成においても、前記電子式体温計と同様に前記制御部に通信機能を付加して、握力を多機能携帯端末において表示できるようにしてもよい。
【００６１】
・第１，第２カバー１７，１８の少なくとも一方に蛍光塗料を塗布したり、蛍光材を混入させたりして、第１，第２カバー１７，１８が蛍光発光するように構成すること。
・第１，第２カバー１７，１８の少なくとも一方に、レーザ光によって表面に文字や図形を表記できる材質のものを用いすること。このような第１，第２カバー１７，１８を用いれば、同カバー１７，１８に所有者名やメッセージ、あるいは模様を設けることができる。
【００６２】
・第１，第２カバー１７，１８の少なくとも一方を磁力を利用して凹部３６内に保持すること。このようにすれば、第１，第２カバー１７，１８の交換が容易になる。
・第１，第２カバー１７，１８に凹部を形成して、その凹部内に爪やすりを設けること。
【００６３】
・第１，第２カバー１７，１８の少なくとも一方を鏡面仕上げして、鏡として用いることができるようにすること。
・第１，第２カバー１７，１８の少なくとも一方に香料を含有させること。
【００６４】
・図１６及び図１７に示すように、発電パネル７２のプラス・マイナス両出力端子に対して両回転体１３の外表面の金属メッキを電気接続して、その両回転体１３をそれぞれ発電パネル７２のプラス側及びマイナス側の外部端子とすること。すなわち、発電パネル７２のプラス・マイナス両出力端子は、給電線８８及び端子となるワッシャ８９や支持軸３８などを介して両回転体１３の外表面の金属メッキにそれぞれ電気接続される。そして、ハンドル１１の外表面の金属メッキは発電パネル７２の出力端子に対して電気絶縁される。この構成においては、身体表面部に押し当てられた両回転体１３間に回転体１３により身体表面部を介した電路が形成される。
【００６５】
（他の技術的思想）
前記実施形態及び変更例から把握され、請求項に記載されていない技術的思想は以下の通りである。
【００６６】
（Ａ）前記機能部材は、ハンドル本体に対して、色，明度，光沢度，表面粗度のうちの少なくともひとつが異なる請求項１または２に記載の美容器。
（Ｂ）前記機能部材は、ハンドル本体と材質が異なる請求項１または２に記載の美容器。
【００６７】
（Ｃ）前記機能部材は、ハンドル本体と比熱が異なる請求項１または２に記載の美容器。
（Ｄ）前記機能部材は、ハンドル本体と硬度が異なる請求項１または２に記載の美容器。
【００６８】
（Ｅ）前記機能部材は、ハンドル本体と摩擦係数が異なる請求項４に記載の美容器。
【符号の説明】
【００６９】
１１…ハンドル、１３…回転体、１５…第１フレーム、１６…第２フレーム、１７…第１カバー、１８…第２カバー、２０…ハンドル本体、３６…凹部、３７…ネジ。
【図１】
2020000463.tif 000003
【図２】
2020000463.tif 000004
【図３】
2020000463.tif 000005
【図４】
2020000463.tif 000006
【図５】
2020000463.tif 000007
【図６】
2020000463.tif 000008
【図７】
2020000463.tif 000009
【図８】
2020000463.tif 000010
【図９】
2020000463.tif 000011
【図１０】
2020000463.tif 000012
【図１１】
2020000463.tif 000013
【図１２】
2020000463.tif 000014
【図１３】
2020000463.tif 000015
【図１４】
2020000463.tif 000016
【図１５】
2020000463.tif 000017
【図１６】
2020000463.tif 000018
【図１７】
2020000463.tif 000019